(57)【要約】      （修正有）【課題】通信線を引き留める作業を行う際に、引留具をゆるめて通信線を引き留めるための金属線の挿入位置を容易に調整することができる差し込み式引留具用調整工具を提供する。【解決手段】差し込み式引留具用調整工具１００は、第１の挟みハーフ１０と、第２の挟みハーフ２０と、支軸３０とから構成され、第１の挟み手段１１は、リベット１２ａ、１２ｂにより第１の挟みハーフ１０の挟み部１０ｂに固定され、この第１の挟み手段１１の上面に通信線を引き留めるための金属線７を嵌め込むＵ字形開口部１１ａが設けられている。また、第２の挟み手段２１は、リベット２２ａ、２２ｂにより第２の挟みハーフ２０の挟み部２０ｂに固定され、この第２の挟み手段部２１の底面にキャップ６を嵌め込むＵ字形開口部が設けられている。【選択図】図１
0003117471.tif 000002
【実用新案登録請求の範囲】
【請求項１】
内部に円錐状の貫通穴を有するケースと、貫通穴にコイルバネで付勢されるチャックと、ケースの前端に設けられ前記チャックでケース外に押圧されると、ケースの後端に固定されるキャップとを備え、コイルバネに抗してパイプからチャック内を通してケース後端に金属線を挿通固定して該金属線を引留する差し込み式引留具に用いられる引留位置調整工具であって、
一対の把持部と挟み部とを備え、挟み部の一方には金属線の進入を許容するが前記パイプの端面を当接する開口部を有する第１の挟み手段が設けられ、挟み部の他方には前記キャップを保持する保持部を有する第２の挟み手段が設けられ、
前記金属線を挿通した状態で、前記把持部を握ることにより前記パイプの端面をコイルバネ力に抗して押圧して前記チャックを緩めさせ金属線の挿入位置を調整可能にすることを特徴とする差し込み式引留具用調整工具。
【請求項２】
前記第１の挟み手段と前記第２の挟み手段は、前記挟み部と別体に形成され、リベット等により前記挟み部に取り付けられることを特徴とする請求項１に記載の差し込み式引留具用調整工具。
【請求項３】
前記把持部を握ることにより、前記第１の挟み手段と前記第２の挟み手段は、所定範囲で対向してほぼ平行に移動することを特徴とする請求項１または請求項２に記載の差し込み式引留具用調整工具。
【請求項４】
前記第２の挟み手段の前記キャップを保持する保持部に、差し込み式引留具のＵ字金具を回避するための切り込み部が設けられていることを特徴とする請求項１乃至請求項３のいずれかに記載の差し込み式引留具用調整工具。
【考案の詳細な説明】
【技術分野】
【０００１】
本考案は、通信線を引き留めるための金属線等用引留具を用いて通信線等を架設する際に、通信線等のテンション、即ち金属線の挿入位置を調整するために用いられる差し込み式引留具用調整工具に関する。
【背景技術】
【０００２】
従来、中心に円錐面の貫通穴を有するケースと、該ケースに装着され、挿入された通信線を引き留めるための金属線の外周面を支持するための一対のチャックと、該チャックを前記ケースの貫通穴の一端に固定させるコイルばねと、ケースの前端に設けられ、コイルばねを付勢させた状態で圧着によりケースに固定されるキャップと、ケースの後端に設けられ、通信線を引き留めるための金属線の一部を挿通するパイプとを備えた通信線用差し込み式引留具を用いて配線を行う。
【０００３】
このような通信線用差し込み式引留具を用いて、通信線を引き留める作業を行うとき、通信線を引き留めるための金属線の先端の所定長さのプラスチック製保護層を除去し、金属線を露出させ、この金属線をパイプから挿入し、チャックにより挟持する（特許文献１参照）。
【０００４】
このような通信線用引留具を用いて通信線等を架設する際に、通信線を引き留めるための金属線のテンションを調整する場合、ドライバなど工具で上述したパイプの先端を押さえて引留具のチャックをゆるめて通信線を引き留めるための金属線の挿入位置を調整する方法が用いられている。
【０００５】
【特許文献１】実開昭５９−１８５９２２号公報
【考案の開示】
【考案が解決しようとする課題】
【０００６】
しかしながら、配線中に通信線を引き留めるための金属線のテンションを調整する場合、上述したドライバなど工具でパイプの先端を押して引留具をゆるめて通信線を引き留めるための金属線等の挿入位置を調整する方法を用いる場合、金属線等の挿入位置の調整は困難である。
【０００７】
また、上述したようにドライバを用いてパイプの先端を押し込む場合は、金属線等の被覆層を傷つけることがあるという不都合があった。
【０００８】
そこで、本考案は、このような問題点を考慮してなされたもので、通信線を引き留める作業を行う際に、引留具をゆるめて通信線を引き留めるための金属線の挿入位置を容易に調整することができるようにした差し込み式引留具用調整工具を提供することを目的とする。
【課題を解決するための手段】
【０００９】
上記課題を解決するため、本考案に係る差し込み式引留具用調整工具は、内部に円錐状の貫通穴を有するケースと、貫通穴にコイルバネで付勢されるチャックと、ケースの前端に設けられ前記チャックでケース外に押圧されると、ケースの後端に固定されるキャップとを備え、コイルバネに抗してパイプからチャック内を通してケース後端に金属線を挿通固定して該金属線を引留する差し込み式引留具に用いられる引留位置調整工具であって、一対の把持部と挟み部とを備え、挟み部の一方には金属線の進入を許容するが前記パイプの端面を当接する開口部を有する第１の挟み手段が設けられ、挟み部の他方には前記キャップを保持する保持部を有する第２の挟み手段が設けられ、前記金属線を挿通した状態で、前記把持部を握ることにより前記パイプの端面をコイルバネ力に抗して押圧して前記チャックを緩めさせ金属線の挿入位置を調整可能にするものである。
【００１０】
例えば、前記第１の挟み手段と前記第２の挟み手段は、前記挟み部と別体に形成され、リベット等により前記挟み部に取り付けられる。また、前記把持部を握ることにより、前記第１の挟み手段と前記第２の挟み手段は、所定範囲で対向してほぼ平行に移動するようになされる。また、前記第２の挟み手段の前記キャップを保持する保持部に、差し込み式引留具のＵ字金具を回避するための切り込み部が設けられている。
【００１１】
本考案においては、一対の把持部と挟み部とを備え、挟み部の一方には金属線の進入を許容するが前記パイプの端面を当接する開口部を有する第１の挟み手段が設けられ、挟み部の他方にはキャップを保持する保持部を有する第２の挟み手段が設けられ、通信線を引き留めるための金属線等を引き留める作業を行う際に、金属線を挿通した状態で、把持部を握ることによりパイプの端面をコイルバネ力に抗して押圧してチャックを緩めさせ金属線の挿入位置を調整可能にする。
【００１２】
これにより、通信線を引き留める作業を行う際に、引留具をゆるめて通信線を引き留めるための金属線の挿入位置を容易に調整することが可能となる。
【００１３】
第１の挟み手段と第２の挟み手段は、挟み部と別体に形成されるため、市販の挟み工具を利用して第１の挟み手段と第２の挟み手段を取り付けることで差し込み式引留具用調整工具の作製が容易になる。また、第１の挟み手段と第２の挟み手段は、リベット等により挟み部に取り付けられることで、安定して固定することが可能となる。
【００１４】
また、第１の挟み手段と第２の挟み手段は、把持部を握ることにより、第１の挟み手段と第２の挟み手段は、所定範囲で対向してほぼ平行に移動するようになされるため、中心軸方向にパイプを中へ押し込むことが可能となる。
【００１５】
また、第２の挟み手段のキャップを保持する保持部に、差し込み式引留具のＵ字金具を回避するための切り込み部を設けることで、通信用引留具のＵ字金具と平行又は垂直の方向より嵌め込むことができ、使い勝手がよい。
【考案の効果】
【００１６】
本考案によれば、通信線を引き留めるための金属線を引き留める作業を行う際に、差し込み式引留具用調整工具を用いて引留具のチャックを緩めさせて通信線を引き留めるための金属線の挿入位置を容易に調整することができる。
【００１７】
第１の挟み手段と第２の挟み手段は、既存の挟み工具を利用して第１の挟み手段と第２の挟み手段を取り付けることで差し込み式引留具用調整工具の作製が容易になる。また、第１の挟み手段と第２の挟み手段はリベットにより挟み部に取り付けられることで、安定して固定することができる。
【００１８】
また、第１の挟み手段と第２の挟み手段は、所定範囲で対向してほぼ平行に移動するようになされるため、中心軸方向にパイプを中へ押し込むことができる。
【００１９】
また、通信用引留具のＵ字金具と平行又は垂直の方向より嵌め込むことができ、使い勝手がよい。
【考案を実施するための最良の形態】
【００２０】
本考案に係る差し込み式引留具用調整工具を実施するための最良の形態を、図を参照して説明する。図１は、本考案に係る差し込み式引留具用調整工具の構成を示す平面図である。この図１中の（Ａ）は、矢印Ａ方向から見た部分図であり、（Ｂ）は、矢印Ｂ方向から見た部分図である。また、図１は、通信線を引き留めるための金属線等用引留具１を挟む状態を示している。引留具１の構成は後述する図４に示している。
【００２１】
図１に示すように、差し込み式引留具用調整工具１００は、第１の挟みハーフ１０と、第２の挟みハーフ２０と、支軸３０とから構成されている。支軸３０には、第１の挟みハーフ１０と第２の挟みハーフ２０を通常に開く状態に付勢するバネ（図示せず）が装着されている。
【００２２】
第１の挟みハーフ１０は、例えば鉄から形成され、握り部１０ａと挟み部１０ｂとを有し、表面に亜鉛メッキ処理される。第１の挟み手段１１は、リベット１２ａ、１２ｂにより第１の挟みハーフ１０の挟み部１０ｂに固定されている。
【００２３】
図２は、挟み部１１の構成を示す図である。図２に示すように、第１の挟み手段１１は、例えばステンレス材を用いてＵ字形に形成されたものである。第１の挟み手段１１の上面に通信線を引き留めるための金属線７の進入を許容するがパイプ３の端面を当接するＵ字形開口部１１ａが設けられている。このＵ字形開口部１１ａの幅は、パイプ３の外径より小さく、例えば４．８ｍｍとされる。また、第１の挟み手段１１の両側面にリベット１２ａ、１２ｂ用貫通穴１１ｂ、１１ｃが設けられている。
【００２４】
第２の挟みハーフ２０は、例えば鉄から形成され、握り部２０ａと挟み部２０ｂとを有し、表面に亜鉛メッキ処理される。握り部２０ａと挟み部２０ｂは連結部材２０ｃを用いて回動可能に連結されている。また、挟み部２０ｂの尾端は、軸１０ｃにより握り部１０ａに回動可能に連結されている。この構成により、第２の挟み手段２１はほぼ平行に移動することが可能である。また、第２の挟み手段２１は、リベット２２ａ、２２ｂにより第２の挟みハーフ２０の挟み部２０ｂに固定されている。
【００２５】
図３は、挟み部２１の構成を示す図である。図３に示すように、第２の挟み手段２１は、ステンレス材を用いてＵ字形に形成されたものである。第２の挟み手段部２１の底面にキャップ６を保持するＵ字形開口部（保持部）２１ａが設けられている。このＵ字形開口部２１ａには切り込み部Ｃを有している。この切り込み部Ｃは、ケース１を電信柱等に引っ掛ける掛具（Ｕ字金具）８を回避するために設けられたものである。
また、第２の挟み手段２１の両側面にリベット２２ａ、２２ｂ用貫通穴２１ｂ、２１ｃが設けられている。
【００２６】
図４は、差し込み式引留具用調整工具１００の使用状態を示す図である。この図４において、差し込み式引留具用調整工具１００を用いて通信線を引き留めるための金属線７の挿入位置を調整する際に、引留具１の内部動作状態を示している。図４中に引留具１、第１の挟み手段１１および第２の挟み手段２１を局部断面で表示している。
【００２７】
図４に示すように、引留具１は、中心に円錐面の貫通穴を有するケース２と、このケース２に装着され、挿入された通信線を引き留めるための金属線７の外周面を支持するための一対のチャック４と、該チャック４をケース２の貫通穴の一端に固定させる円錐形のコイルばね５と、ケース２の前端に設けられ、コイルばね５を付勢させた状態で圧着によりケース２に固定されるキャップ６と、ケース２の後端に設けられ、通信線を引き留めるための金属線７の一部を挿通するパイプ３と、ケース１を電信柱等に引っ掛ける掛具８とを備える。チャック４の内面には金属線７の外周面を噛み合う噛み合い歯を有する。
【００２８】
また、図４に示すように、第１の挟みハーフ１０の握り部１２と第２の挟みハーフ２０の握り部２２に力Ｆを入れると、即ち握り部１０ａ、２０ａを握ることにより、第１の挟みハーフ１０の第１の挟み手段１１と第２の挟みハーフ２０の第１の挟み手段２１は、所定範囲で対向してほぼ平行に移動する。これにより、引留具１のパイプ３は内部へ押し込まれ、挿入された通信線を引き留めるための金属線７の外周面を支持するチャック４は下へ押さえられ、チャック４は金属線７から離れて、この状態で金属線７の挿入位置を自由に調整することが可能である。
【００２９】
このように本実施の形態においては、差し込み式引留具用調整工具１００は、第１の挟みハーフ１０と、第２の挟みハーフ２０と、支軸３０とから構成され、第１の挟み手段１１は、リベット１２ａ、１２ｂにより第１の挟みハーフ１０の挟み部１０ｂに固定され、この第１の挟み手段１１の上面に通信線を引き留めるための金属線７を嵌め込むＵ字形開口部１１ａが設けられている。また、第２の挟み手段２１は、リベット２２ａ、２２ｂにより第２の挟みハーフ２０の挟み部２０ｂに固定され、この第２の挟み手段部２１の底面にキャップ６を嵌め込むＵ字形開口部２１ａが設けられている。
【００３０】
これにより、通信線を引き留めるための金属線７を引き留める作業を行う際に、引留具をゆるめて通信線を引き留めるための金属線７の挿入位置を容易に調整することができる。
【００３１】
また、第１の挟み手段１１と第２の挟み手段２１は、リベット１２ａ、１２ｂと２２ａ、２２ｂにより第１の挟みハーフ１０の挟み部１０ｂと第２の挟みハーフ２０の挟み部２０ｂに取り付けられることで、安定して固定することができる。
【００３２】
また、握り部１０ａ、２０ａを握ることにより、第１の挟み手段１１と第２の挟み手段２１は、所定範囲で対向してほぼ平行に移動するようになされるため、中心軸方向にパイプ７を中へ押し込むことができる。
【００３３】
また、切り込み部Ｃを設けることで、通信用引留具の引っ掛ける掛具（Ｕ字金具）８と平行又は垂直の方向より嵌め込むことができ、使い勝手がよい。
【００３４】
なお、上述実施の形態においては、第１の挟み手段１１と第２の挟み手段２１は、それぞれリベット１２ａ、１２ｂと２２ａ、２２ｂにより第１の挟みハーフ１０の挟み部１０ｂと第２の挟みハーフ２０の挟み部２０ｂに固定されているものとしたが、これに限定されるものではない。例えばネジを用いて取り付けるようにしてもよい。また、第１の挟み手段１１と第２の挟み手段２１は、挟み部１０ｂと挟み部２０ｂと一体に形成してもよい。
また、第１の挟み手段１１と第２の挟み手段２１の形状は、実施例に限定されるものではない。
【産業上の利用可能性】
【００３５】
この考案は、通信線を引き留めるための金属線等用引留具を用いて通信線等を架設する際に、通信線等の引き留め具合を調整するための目的に利用できる。また、通信線を引き留めるための金属線の引留具への挿入位置を容易に調整することができる差し込み式引留具用調整工具（差し込み式引留具用弛度調整工具）を提供する目的に利用できる。
【図面の簡単な説明】
【００３６】
【図１】本考案に係る差し込み式引留具用調整工具の構成を示す図である。
【図２】第１の挟み手段１１の構成を示す図である。
【図３】第２の挟み手段２１の構成を示す図である。
【図４】差し込み式引留具用調整工具１００の使用状態を示す図である。
【符号の説明】
【００３７】
１  引留具
２  ケース
３  パイプ
４  チャック
５  コイルばね
６  キャップ
７  金属線
８  掛具
１０  第１の挟みハーフ
１０ａ  握り部
１０ｂ  挟み部
１０ｃ  軸
１１  第１の挟み手段
１１ａ  Ｕ字形開口
１１ｂ、１１ｃ  貫通穴
１２ａ、１２ｂ  リベット
２０  第２の挟みハーフ
２０ａ  握り部
２０ｂ  挟み部
２０ｃ  連結部材
２１  第２の挟み手段
２１ａ  Ｕ字形開口部
２１ｂ、２１ｃ  貫通穴
２２ａ、２２ｂ  リベット
３０  支軸
１００  差し込み式引留具用調整工具
【図１】
0003117471.tif 000003
【図２】
0003117471.tif 000004
【図３】
0003117471.tif 000005
【図４】
0003117471.tif 000006